(57)【要約】【課題】ダイバーシチ中継の利点を保持しつつ、トラフィック増大時には通話チャネル中継数の増大を図ることができるレピータ装置１０を提供する。【解決手段】主系統１１及び副系統３１はそれぞれ受信アンテナ１４，３４に対応している。中継を必要とする通話チャネルの個数がｎ以下である場合は、主系統１１及び副系統３１のレピータ部１８ａ〜１８ｎ及び３８ａ〜３８ｎの対は同一の通話チャネルに係るＲＦ信号を受信して、該通話チャネルをダイバーシチ中継する。中継を必要とする通話チャネルの個数がｎ＋１以上である場合は、各レピータ部１８ａ〜１８ｎ及び３８ａ〜３８ｎは、非ダイバーシチ中継へ切替えられて、相互に異なる通話チャネルを中継処理する。【選択図】図１
2010062988.tif 000002
【特許請求の範囲】
【請求項１】
ダイバーシチ受信可能に相互に離れた位置に取付けられている第１及び第２の受信アンテナ、
第１の受信アンテナから通話チャネルに係るＲＦ信号を供給される１以上の第１のレピータ部、
第２の受信アンテナから通話チャネルに係るＲＦ信号を供給される１以上の第２のレピータ部、及び
各レピータ部の中継対象通話チャネルを制御してダイバーシチ中継及び非ダイバーシチ中継を切替える中継制御手段、
を備えることを特徴とする中継機能付き無線装置。
【請求項２】
前記中継制御手段は、各レピータ部を個々にダイバーシチ中継及び非ダイバーシチ中継へ切替えることを特徴とする請求項１記載の中継機能付き無線装置。
【請求項３】
前記中継制御手段は、複数のレピータ部を一括でダイバーシチ中継及び非ダイバーシチ中継へ切替えることを特徴とする請求項１記載の中継機能付き無線装置。
【請求項４】
前記中継制御手段は、通話チャネルの中継数に基づきダイバーシチ中継及び非ダイバーシチ中継を切替えることを特徴とする請求項１〜３のいずれかに記載の中継機能付き無線装置。
【請求項５】
前記中継制御手段は、時間帯に基づきダイバーシチ中継及び非ダイバーシチ中継を切替えることを特徴とする請求項１〜４のいずれかに記載の中継機能付き無線装置。
【請求項６】
前記中継制御手段は、受信信号又はその検波信号の品質に基づきダイバーシチ中継及び非ダイバーシチ中継を切替えることを特徴とする請求項１〜５のいずれかに記載の中継機能付き無線装置。
【請求項７】
前記中継制御手段は、ダイバーシチ中継では、同一の通話チャネルに係る受信電波をダイバーシチ受信している第１及び第２のレピータ部から選択した方を選択レピータ部とし、選択レピータ部の受信部の検波信号に基づく送信信号を第１のレピータ部で生成して送信するか、又は該選択レピータ部の出力を選択レピータ部で生成して送信することを特徴とする請求項１〜６のいずれかに記載の中継機能付き無線装置。
【発明の詳細な説明】
【技術分野】
【０００１】
本発明は、レピータ装置のような無線中継機能を装備する無線装置に関する。
【背景技術】
【０００２】
特許文献１は、受信アンテナ及び送信アンテナを共用する複数のレピータ部を備えるレピータ装置を開示する（特許文献１の図１及び図２）。
【０００３】
図６は従来のレピータ装置１１０の構成図である。レピータ装置１１０において、本発明の後述の実施例としてのレピータ装置１０（図１）の要素と対応する要素は、レピータ装置１０の対応要素と同一の符号で指示して説明を省略し、主要点について述べる。
【０００４】
レピータ装置１１０は、空間ダイバーシチを実現するために、受信アンテナ１４の他に、ダイバーシチ用受信アンテナ３４を備えているとともに、副系統１３１において受信機１３８ａ〜１３８ｎを備えている。主系統１１において、受信アンテナ１４からのＲＦ信号は、分配器１５において分配されてから、各レピータ部１８ａ〜１８ｎへ供給される。副系統１３１において、ダイバーシチ用受信アンテナ３４からのＲＦ信号は、分配器３５において分配されてから、各受信機１３８ａ〜１３８ｎへ供給される。レピータ部１８ａ〜１８ｎの受信部と受信機１３８ａ〜１３８ｎとの対応するもの同士（図６では、添え字のアルファベットが同一のもの同士）は、同一周波数（＝同一通話チャネル）に係るＲＦ信号を検波するようになっている。
【０００５】
同一の通話チャネルに係るＲＦ信号を検波しているレピータ部１８ａ〜１８ｎの受信部と受信機１３８ａ〜１３８ｎとの対（符号添え字のアルファベットが同一であるもの同士が対であるとする。）において、各時点で検波信号の品質又はＲＳＳＩ (Received Signal Strength Indicator ：受信信号強度表示) が対比され、両者の内、検波信号の品質が高い方又はＲＳＳＩが高い方が選択受信部として選択される。そして、選択受信部の検波信号が主系統１１のレピータ部１８ａ〜１８ｎの送信部に供給されて、レピータ部１８ａ〜１８ｎの送信部がそれを基に送信用ＲＦ信号を生成して、該送信用ＲＦ信号を送信アンテナ４９から放射する。各通話チャネルに対し、その受信信号の周波数とその送信信号の周波数とは相互に異なるものとなっている。このように通話チャネル中継においてダイバーシチ受信を行うことによりフェージング等に因る通話品質の劣化を防いでいる。
【０００６】
図７はトラフィックが増大した場合の従来のレピータ装置１１０の対応状況の説明図である。説明を簡単化するため、主系統１１のレピータ部及び副系統１３１の受信機はそれぞれ１８ａ，１８ｂ及び１３８ａ，１３８ｂの２つずつとする。ここでは、レピータ装置１１０は、送信側の２つの携帯型無線機等からの周波数ｆ１，ｆ２（ｆ１≠ｆ２）の電波の受信中に、さらに、送信側の別の携帯型無線機等から周波数ｆ３の電波が受信されたことを想定している。
【０００７】
選択受信部は、周波数ｆ１に係る通話チャネルについては、受信機１３８ａになっており、周波数ｆ２に係る通話チャネルについては、レピータ部１８ｂの受信部になっている。したがって、レピータ部１８ａ，１８ｂの送信部では、それぞれ受信機１３８ａ及びレピータ部１８ｂの受信部の出力を基に送信信号が生成されて、共振器２３ａ，２３ｂを経て、送信アンテナ４９からｆ１'，ｆ２'（ｆ１≠ｆ１'．ｆ２≠ｆ２'，ｆ１'≠ｆ２'）の電波で放射される。
【特許文献１】特開２００８−７８９２８号公報
【発明の開示】
【発明が解決しようとする課題】
【０００８】
図７に示すように、レピータ装置１１０が、周波数ｆ１，ｆ２に係る通話チャネルを中継している状況下で、通話チャネルをさらに追加する必要が生じた場合、レピータ装置１１０では、空いているレピータ部１８ａ，１８ｂ及び受信機１３８ａ，１３８ｂがなく、中継通話チャネルの追加は困難である。レピータ装置１１０がこれに対処するためには、レピータ部及び受信機の個数を増大すればよいが、これはコスト高及び大型化に繋がる。
【０００９】
特許文献１は、レピータ装置が複数のレピータ部を装備することの開示に留まり、それら複数のレピータ部を、具体的にどのように制御すれば、ダイバーシチ受信を実施しつつ、トラフィック増大時の中継通話チャネル数を増大させるかについては示唆していない。
【００１０】
本発明の目的は、ダイバーシチ中継の利点を保持しつつ、トラフィック増大時には通話チャネル中継数の増大を図ることができる中継機能付き無線装置を提供することである。
【課題を解決するための手段】
【００１１】
本発明によれば、第１の受信アンテナへレピータ部が接続されるとともに、第２の受信アンテナへも受信専用機ではなく、レピータ部が接続される。各レピータ部は、ダイバーシチ中継及び非ダイバーシチ中継の両方に対応しており、トラフィックの増大時では、一部又は全部のレピータ部が、ダイバーシチ中継から非ダイバーシチ中継へ切替えられて、該レピータ部単独で通話チャネルを非ダイバーシチで中継するようになっている。
【００１２】
本発明の中継機能付き無線装置は次のものを備えている。
ダイバーシチ受信可能に相互に離れた位置に取付けられている第１及び第２の受信アンテナ、
第１の受信アンテナから通話チャネルに係るＲＦ信号を供給される１以上の第１のレピータ部、
第２の受信アンテナから通話チャネルに係るＲＦ信号を供給される１以上の第２のレピータ部、及び
各レピータ部の中継対象通話チャネルを制御してダイバーシチ中継及び非ダイバーシチ中継を切替える中継制御手段。
【発明の効果】
【００１３】
本発明によれば、第１及び第２の受信アンテナ共にレピータ部が接続されて、トラフィックの増大時では、一部又は全部のレピータ部が、ダイバーシチ中継から非ダイバーシチ中継へ切替えられるようになっている。したがって、トラフィック増大時には、中継通話チャネルの個数増大に対処することができる。
【発明を実施するための最良の形態】
【００１４】
図１はレピータ装置１０の構成図である。レピータ装置１０は主系統１１と副系統３１とを備える。主系統１１は、受信アンテナ１４、分配器１５、レピータ部１７，１８ａ〜１８ｎ、及び共振器２２，２３ａ〜２３ｎを備えている。副系統３１は、ダイバーシチ用受信アンテナ３４、分配器３５、レピータ部３８ａ〜３８ｎ、及び共振器４３ａ〜４３ｎを備えている。
【００１５】
受信アンテナ１４とダイバーシチ用受信アンテナ３４とは、空間ダイバーシチを実現するため、水平面方向へ適当に離れて配置されている。制御部３６は、ダイバーシチのオン／オフ切替、レピータ部１８ａ〜１８ｎ及び３８ａ〜３８ｎの受信信号等の品質判定、及び時刻判定等の各種処理を行う。送信アンテナ４９は、主系統１１及び副系統３１に共通に設けられ、主系統１１及び副系統３１から出力されてくる送信信号に係る電波を空間へ放射する。
【００１６】
主系統１１において、携帯型無線機等（図示せず）からの電波は、受信アンテナ１４に捕捉されて、ＲＦ信号へ変換され、該ＲＦ信号は、分配器１５を経て分配されてから、レピータ部１７，１８ａ〜１８ｎへ供給される。レピータ部１７，１８ａ〜１８ｎは前段の受信部と後段の送信部とを備えている。
【００１７】
レピータ部１８ａ〜１８ｎの後段の送信部は、レピータ部１８ａ〜１８ｎ又は３８ａ〜３８ｎの受信部の検波信号により変調した送信信号を生成する。レピータ部１８ａ〜１８ｎの送信部が、送信信号を生成するために、レピータ部１８ａ〜１８ｎ及び３８ａ〜３８ｎの受信部のどちらの検波信号を選択するかは、一般的なダイバーシチ受信の基準に従う。例えば、品質の高い方の検波信号や、受信信号のＲＳＳＩが大きい方の検波信号が選択される。検波信号の品質は、例えばデジタル無線では、デジタル信号のエラー率が小さいほど、良とされる。
【００１８】
レピータ部１７は、無線機間の制御チャネルを中継する。該制御チャネルには、例えば通話チャネルを確立するために必要な発呼信号、着呼信号、及び着呼に対する応答信号等の制御信号が含まれている。レピータ部１７において、制御チャネルの受信周波数と送信周波数とは異なっている。
【００１９】
レピータ部１８ａ〜１８ｎは、無線機間の通話チャネルを中継する。各通話チャネルの受信周波数及び送信周波数は相互に相違するとともに（後述図２のｆ１≠ｆ１'，ｆ２≠ｆ２'）、通話チャネルごとに受信周波数及び送信周波数は相違している（後述図２のｆ１≠ｆ２，ｆ１'≠ｆ２'）。なお、この例では、通話チャネルは、音声だけでなく、データの伝送にも使用されてもよい。
【００２０】
共振器２２はレピータ部１７と送信アンテナ４９との間に介在する。各共振器２３ａ〜２３ｎは、各レピータ部１８ａ〜１８ｎと送信アンテナ４９との間に介在する。共振器２２，２３ａ〜２３ｎは、送信信号の特定の周波数に集中して送信電力を付与して、送信アンテナ４９へ供給するとともに、該特定周波数以外の周波数の信号が出力側から入力側へ流れ込むのを防止する。送信アンテナ４９からの送信電波は、図示していない受信側の無線機へ送られる。
【００２１】
副系統３１において、ダイバーシチ用受信アンテナ３４及び分配器３５は、個々の構成及び作用に関して主系統１１の受信アンテナ１４及び分配器１５のものと同一であるので、それらの説明は省略する。レピータ部３８ａ〜３８ｎ及び共振器４３ａ〜４３ｎは、個々の構成及び作用に関して主系統１１のレピータ部１８ａ〜１８ｎ及び共振器２３ａ〜２３ｎのものと同一であるので、それらの説明は省略する。
【００２２】
副系統３１のレピータ部３８ａ〜３８ｎは主系統１１のレピータ部１８ａ〜１８ｎと同一のものを採用することができるので、レピータ装置１０の製造では、図６の従来のレピータ装置１１０の製造のように、主系統１１のレピータ部１８ａ〜１８ｎと副系統１３１の受信機１３８ａ〜１３８ｎとを区別して組み付ける必要がなくなり、製造上及び部品管理上の能率を高めることができる。
【００２３】
図２はトラフィックが増大した場合のレピータ装置１０の対応状況の説明図である。説明を簡単化するため、主系統１１及び副系統３１のレピータ部はそれぞれ１８ａ，１８ｂ及び３８ａ，３８ｂの２つずつとする。周波数ｆ１，ｆ２の電波が周波数ｆ３の電波より先に受信されることを想定する。レピータ装置１０は、送信側の２つの携帯型無線機等からの周波数ｆ１，ｆ２（ｆ１≠ｆ２）の電波の受信中に、さらに、送信側の別の携帯型無線機等から周波数ｆ３の電波が受信されたことを想定している。
【００２４】
中継すべき通話チャネルが２以下である期間では、レピータ装置１０はダイバーシチ中継を実施している。制御部３６は、ダイバーシチ中継期間では、各レピータ部３８ａ，３８ｂにおける中継通話チャネルが各レピータ部１８ａ，１８ｂにおける中継通話チャネルに一致するように、レピータ部１８ａ，１８ｂ及び３８ａ，３８ｂにおける処理対象受信信号の周波数を制御する。
【００２５】
周波数ｆ１の受信信号及び周波数ｆ２の受信信号に対する処理は、その処理素子がレピータ部１８ａ，３８ａになるか又はレピータ部１８ｂ，３８ｂになるかが相違するだけで、内容は同一であるので、周波数ｆ１の受信信号に対する処理のみについて説明する。
【００２６】
周波数ｆ１の受信信号は、レピータ部１８ａ，３８ａの受信部に受信されて、検波される。レピータ部１８ａの送信部は、レピータ部１８ａ，３８ａの受信部から出力される検波信号の内、品質の良い方を出力している方を選択受信部とし、又はレピータ部１８ａ，３８ａの受信部への受信信号に係るＲＳＳＩが高い方を選択受信部とし、選択受信部の検波信号を変調信号に使って、変調した搬送波信号を出力する。この出力は、共振器２３ａを介して送信アンテナ４９へ送られて、送信アンテナ４９から電波で放射される。
【００２７】
副系統３１のレピータ部３８ａの受信部が選択受信部となっている場合、主系統１１のレピータ部１８ａの送信部が、レピータ部３８ａの受信部の検波信号に基づき送信信号を生成して、送信アンテナ４９へ出力する代わりに、副系統３１のレピータ部３８ａの送信部がレピータ部３８ａの受信部の検波信号に基づき送信信号を生成して、送信アンテナ４９へ出力するようにしてもよい。これにより、レピータ部１８ａの送信部だけに負荷がかかり続けることが回避されて、故障発生や性能劣化を抑制することができる。この場合、受信部が選択受信部となっている方のレピータ部３８ａがダイバーシチ対象の通話チャネルに係る送信信号を送信アンテナ４９へ送ることになり、制御部３６は、受信部が非選択受信部となっている方のレピータ部１８ａの出力を、その送信部の作動停止や対応の共振器２３ａの作動停止により送信アンテナ４９へ供給されないようにする。
【００２８】
ダイバーシチ中継時に検波信号の品質又はＲＳＳＩ等によって副系統３１のレピータ部からも送信信号を出力するようにした場合、送信部作動停止中のレピータ部が、その出力側に送信部作動中のレピータ部から出力を受けて、損傷するのを防止する対策が必要になる。図３及び図４はこのような対策を装備したレピータ装置１０の構成図である。簡略化のため、レピータ部から送信アンテナ４９までの範囲の構成のみを示しているが、レピータ部から送信アンテナ４９までの範囲の構成のみを示しているが、受信アンテナ１４，３４からレピータ部までの構成は図２のものと同一である。図３はｆ１'，ｆ３'の周波数が近い場合の対策を示し、図４はｆ１'，ｆ３'の周波数が遠い場合の対策を示している。
【００２９】
図３のレピータ装置１０において、主系統１１では、アイソレータ５１，５２ａ，５２ｂが、それぞれレピータ部１７，１８ａ，１８ｂと共振器２２，２３ａ，２３ｂとの間に介在し、レピータ部１７，１８ａ，１８ｂから共振器２２，２３ａ，２３ｂへの一方向の送信波の流れを許容する。また、副系統３１では、アイソレータ５３ａ，５３ｂが、それぞれレピータ部３８ａ，３８ｂと共振器４３ａ，４３ｂとの間に介在し、レピータ部３８ａ，３８ｂから共振器４３ａ，４３ｂへの一方向の送信波の流れを許容する。これにより、各レピータ部は、出力について設定中の周波数（例：レピータ部１８ａではｆ１'）と共にその近傍の周波数（例：レピータ部１８ａではｆ３'）の送信波を出力側に受けるのを抑制される。
【００３０】
図４のレピータ装置１０では、図３のレピータ装置１０における共振器２２，２３ａ，２３ｂ，４３ａ，４３ｂが廃止されて、代わりに、各レピータ部１７，１８ａ，１８ｂ，３８ａ，３８ｂに共通に、アイソレータ５１，５２ａ，５２ｂ，５３ａ，５３ｂと送信アンテナ４９との間に送信電力合成器５５が介在する。送信電力合成器５５は、分配器１５，３５の入力と出力とを反対にしたようなものであり、送信電力合成器５５を使えば、ある程度広帯域の周波数を送信アンテナ４９の方へ通過させることができるので、ｆ１'，ｆ３'共に減衰量が増大することはない。また、送信電力合成器５５の入力間では適当な減衰が保証され、各レピータ部の出力が、送信電力合成器５５を介して他のレピータ部へ回り込むのが抑制される。
【００３１】
図２に戻って、中継すべき通話チャネルが３以上に増えると、制御部３６はダイバーシチ中継から非ダイバーシチ中継へ切替える。これにより、レピータ装置１０が中継できる通話チャネルの個数は、非ダイバーシチ中継時ではダイバーシチ中継時の２倍となる。図２では、新たに中継が必要になった通話チャネルはレピータ部３８ａにより中継される。
【００３２】
すなわち、レピータ部１８ａ，ｂでは、その受信部においてそれぞれ周波数ｆ１，ｆ２のＲＦ信号を受信して、その検波信号を生成し、かつ送信部において、該検波信号を変調信号として送信信号を生成して、共振器２３ａ，ｂへ出力する。これに対して、レピータ部３８ａは、非ダイバーシチ中継への切替後では、切替前のダイバーシチ中継時の周波数ｆ１のＲＦ信号に代えて、追加中継する通話チャネルに係る周波数ｆ３のＲＦ信号を受信して、その検波信号を生成し、かつ送信部において、該検波信号を変調信号として送信信号を生成して、共振器４３ａへ出力する。
【００３３】
さらに、中継する必要のある４番目の通話チャネルが生じたら、該通話チャネルは、副系統31における２番目のレピータ部３８ｂにより非ダイバーシチ中継される。逆に、中継する必要のある通話チャネルが２以下に減少したら、制御部３６は、それら通話チャネルに係る周波数のＲＦ信号がレピータ部１８ａ，ｂ及びレピータ部３８ａ，ｂの対応するもの同士が処理するように、レピータ部１８ａ，ｂ及びレピータ部３８ａ，ｂの処理対象のＲＦ信号の周波数を制御して、ダイバーシチ中継を再開する。
【００３４】
レピータ装置１０は、中継の必要のある通話チャネルが何個あるかをレピータ部１７に受信した制御チャネルの内容から検出することができる。あるいは、図１のレピータ装置１０では、通話チャネル中継用のレピータ部の個数は、主系統１１及び副系統３１共にｎとなっているが、主系統１１における通話チャネル中継用のレピータ部の個数をｎ＋１とし、主系統１１におけるｎ＋１番目のレピータ部が送信側の無線機から通話チャネルに係る電波を受信すると、全部の中継通話チャネルについて、ダイバーシチ中継から非ダイバーシチ中継へ切替えるようにすることもできる。
【００３５】
ここまでの説明では、レピータ装置１０がダイバーシチ中継及び非ダイバーシチ中継のどちらを行うかの基準を、中継の必要のある通話チャネルの個数で決めていたが、その他の基準を採用することもできる。その他の基準として、例えば（ａ）現在が所定の時間外であるか否か、及び（ｂ）検波信号又は受信信号の品質が所定レベル未満であるか否かが挙げられる。
【００３６】
（ａ）の例として、ホテル等ではチェックアウト時などに利用客がフロントに集中するため、従業員が無線端末を使用する機会が増えて、トラフィックが増加する。これに対し、チェックアウト後からチェックイン時間までの時間帯や、夜間の所定の時間帯はトラフィックが減少する。これに対処するため、チェックアウトやチェックイン近辺の時間帯では、非ダイバーシチ中継で全通話チャネルを処理し、その他の時間帯では、ダイバーシチ中継で全通話チャネルを処理することが有利である。
【００３７】
（ｂ）の例では、検波信号又は受信信号の品質が十分に高い場合、フェージング等による瞬間的な受信レベル低下が起こっても、送信される音声やデータの雑音の増加や音声途切れ等が発生しない可能性が高いので、このような期間は、非ダイバーシチ中継で十分であると判断して、該非ダイバーシチ中継を実施することにして、トラフィック増大に対処をする。
【００３８】
レピータ装置１０では、図２で説明したように、レピータ装置１０全体がダイバーシチ中継に切替わるか非ダイバーシチ中継に切替わるかになっているが、制御部３６は、レピータ部１８ａ〜１８ｎ及び３８ａ〜３８ｎを個々にダイバーシチ中継にするか非ダイバーシチ中継にするかを切替えるように制御することもできる。例として、図２では、周波数ｆ３の受信信号の追加により、レピータ装置１０は周波数ｆ１．ｆ２，ｆ３に係る通話チャネルの全部が非ダイバーシチ中継とされている。これに対して、レピータ部１８ａ，３８ａは、非ダイバーシチ中継として、それぞれ周波数ｆ１，ｆ３に係る通話チャネルを中継し、レピータ部１８ｂ，３８ｂは、それらの受信部が共に周波数ｆ２のＲＦ信号を処理して、周波数ｆ２に係る通話チャネルをダイバーシチ中継とし、ダイバーシチ中継及び非ダイバーシチ中継の混在期間を設けることもできる。
【００３９】
図５は中継機能付き無線装置６０のブロック図である。中継機能付き無線装置６０の具体例はレピータ装置１０（図１）である。中継機能付き無線装置６０は、中継機能を装備していれば、レピータ装置１０以外の無線装置、例えば基地局であってもよい。中継機能付き無線装置６０は、第１の受信アンテナ６１、１以上の第１のレピータ部６３、第２の受信アンテナ７１、１以上の第２のレピータ部７３、及び中継制御手段７９を備えている。
【００４０】
第１の受信アンテナ６１及び第２の受信アンテナ７１は、ダイバーシチ受信可能に相互に離れた位置に取付けられている。第１のレピータ部６３は、第１の受信アンテナ６１から通話チャネルに係るＲＦ信号を供給される。第２のレピータ部７３は、第２の受信アンテナ７１から通話チャネルに係るＲＦ信号を供給される。中継制御手段７９は、各レピータ部の中継対象通話チャネルを制御してダイバーシチ中継及び非ダイバーシチ中継を切替える。
【００４１】
第１の受信アンテナ６１及び第２の受信アンテナ７１の具体例はそれぞれ受信アンテナ１４及びダイバーシチ用受信アンテナ３４である。第１のレピータ部６３及び第２のレピータ部７３の具体例はそれぞれレピータ部１８ａ〜１８ｎ及び３８ａ〜３８ｎである。中継制御手段７９の具体例は制御部３６である。通話チャネルは、音声のみ、データのみ、及び／又はその両方を伝送するチャネルである。
【００４２】
中継制御手段７９は、（ａ１）各レピータ部を個々にダイバーシチ中継及び非ダイバーシチ中継へ切替えてもよいし、（ａ２）複数のレピータ部を一括でダイバーシチ中継及び非ダイバーシチ中継へ切替えてもよい。前述の図２は（ａ２）の例であり、全部のレピータ部１８ａ，１８ｂ及び３８ａ，３８ｂを一括でダイバーシチ中継及び非ダイバーシチ中継へ切替えている。図２のレピータ装置１０に（ａ１）を適用すると、レピータ部１８ｂ，３８ｂは共に周波数ｆ２のＲＦ信号を受信して、周波数ｆ２に係る通話チャネルについてダイバーシチ中継を実施し、これに対して、レピータ部１８ａ，３８ａへは、それぞれ周波数ｆ１，ｆ３のＲＦ信号を受信するようにして、周波数ｆ１，ｆ３に係る通話チャネルについて非ダイバーシチ中継を実施するようにする。
【００４３】
中継制御手段７９が、ダイバーシチ中継と非ダイバーシチ中継とを切替える基準としては、例えば（ｂ１）通話チャネルの中継数、（ｂ２）時間帯、及び／又は（ｂ３）受信信号又はその検波信号の品質等が挙げられる。
【００４４】
（ｂ１）の通話チャネルの中継数の具体例は、典型的には第１のレピータ部又は第２のレピータ部の個数（例：図１のｎ）であるが、該個数未満（例：ｎ未満）にしてもよい。（ｂ２）の時間帯の具体例は、ホテルや旅館等におけるチェックイン、チェックアウト、配膳等で作業員が忙しくなる時間帯である。（ｂ３）の受信信号又はその検波信号の品質の具体例では、該品質が十分に高い期間では、フェージング等による瞬間的な受信レベル低下が起こったとしても、音声やデータの雑音の増加や音声途切れ等に至らないとして、非ダイバーシチ中継を行う。
【００４５】
典型的には、中継制御手段７９は、ダイバーシチ中継では、同一の通話チャネルに係る受信電波をダイバーシチ受信している第１及び第２のレピータ部から選択した方を選択レピータ部とし、（ｃ１）選択レピータ部の受信部の検波信号に基づく送信信号を第１のレピータ部で生成して送信するか、又は（ｃ２）該選択レピータ部の出力を送信する。
【００４６】
（ｃ１）の場合には、選択レピータ部が第１及び第２のレピータ部６３，７３のいずれであっても、第１のレピータ部６３の送信部が送信信号を生成する。（ｃ２）の場合、送信信号は、選択レピータ部になった第１又は第２のレピータ部６３，７３が自身の受信部の検波信号に基づき自身の送信部により送信信号を生成して、出力する。
【００４７】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４８】
【図１】レピータ装置の構成図である。
【図２】トラフィックが増大した場合のレピータ装置の対応状況の説明図である。
【図３】ダイバーシチ中継時の送信信号の出力を副系統のレピータ部からでも可とする場合のレピータ部保護対策をしたレピータ装置の主要部構成図である。
【図４】ダイバーシチ中継時の送信信号の出力を副系統のレピータ部からでも可とする場合のレピータ部保護対策を共振器の非使用で対応したレピータ装置の主要部構成図である。
【図５】中継機能付き無線装置のブロック図である。
【図６】従来のレピータ装置の構成図である。
【図７】トラフィックが増大した場合の従来のレピータ装置の対応状況の説明図である。
【符号の説明】
【００４９】
６０：中継機能付き無線装置、６１：第１の受信アンテナ、６３：第１のレピータ部、７１：第２の受信アンテナ、７３：第２のレピータ部、７９：中継制御手段。
【図１】
2010062988.tif 000003
【図２】
2010062988.tif 000004
【図３】
2010062988.tif 000005
【図４】
2010062988.tif 000006
【図５】
2010062988.tif 000007
【図６】
2010062988.tif 000008
【図７】
2010062988.tif 000009